(57)【要約】【課題】  きれいな球状の球状巻体を形成することができるとともに、大きな装飾物でも球状巻体内に収容することができる球状巻体の製造方法を提供すること。【解決手段】  半球状の巻付け部を有する巻付け具に糊が付着した紐状部材を巻き付けて半球状巻体を形成する巻体形成工程と、半球状巻体を巻付け具の巻付け部から剥離させる巻体剥離工程と、一対の半球状巻体を合わせる前に一方の半球状巻体の内部空間に吊糸により吊り下げられた装飾物を入れる装飾物入れ工程と、装飾物を入れた一方の半球状巻体の開口部に他方の半球状巻体の開口部を合わせて球状巻体を形成する球状巻体形成工程と、を含むことを特徴とする球状巻体の製造方法。装飾物を収容する球状巻体を二重構造とし、内側の第１球状巻体の内部空間に装飾物を収容し、外側の第２球状巻体の内部空間に、装飾物を収容した第１球状巻体を収容する。【選択図】  図１
2008080511.tif 000002
【特許請求の範囲】
【請求項１】
半球状の巻付け部を有する巻付け具に糊が付着した紐状部材を巻き付けて半球状巻体を形成する巻体形成工程と、前記半球状巻体を前記巻付け具の前記巻付け部から剥離させる巻体剥離工程と、一対の半球状巻体を合わせる前に一方の半球状巻体の内部空間に吊糸により吊り下げられた装飾物を入れる装飾物入れ工程と、前記装飾物を入れた前記一方の半球状巻体の開口部に他方の半球状巻体の開口部を合わせて球状巻体を形成する球状巻体形成工程と、を含むことを特徴とする装飾物を収容した球状巻体の製造方法。
【請求項２】
前記一対の半球状巻体を貼り合わせる際に、前記装飾物から延びる吊糸を両者間を通して外側に導き、この状態にて前記一方の半球状巻体及び前記他方の半球状巻体の開口部を糊で貼り合わせることを特徴とする請求項１に記載の装飾物を収容した球状巻体の製造方法。
【請求項３】
前記球状巻体形成工程においては、前記一方の半球状巻体の開口部に前記他方の半球状巻体の開口部を糊で貼り合わせ、着脱自在な保持具でもって前記一対の半球状巻体を貼り合わせた状態に保持することを特徴とする請求項１又は２に記載の装飾物を収容した球状巻体の製造方法。
【請求項４】
半球状の第１巻付け部を有する第１巻付け具に糊が付着した紐状部材を巻き付けて比較的小さい第１半球状巻体を形成する第１巻体形成工程と、前記第１半球状巻体を前記第1巻付け具の前記第1巻付け部から剥離させる第1巻体剥離工程と、半球状の第２巻付け部を有する第２巻付け具に糊が付着した紐状部材を巻き付けて比較的大きい第２半球状巻体を形成する第２巻体形成工程と、前記第２半球状巻体を前記第２巻付け具の前記第２巻付け部から剥離させる第２巻体剥離工程と、一対の第１半球状巻体を合わせる前に一方の第１半球状巻体の内部空間に吊糸により吊り下げられた装飾物を入れる第１装飾物入れ工程と、前記装飾物を入れた前記一方の第１半球状巻体の開口部に他方の第１半球状巻体の開口部を合わせて第１球状巻体を形成する第１球状巻体形成工程と、一対の第２半球状巻体を合わせる前に一方の第２半球状巻体の内部空間に吊糸により吊り下げられた前記装飾物及び前記第１球状巻体を入れる第２装飾物入れ工程と、前記装飾物及び前記第１球状巻体を入れた前記一方の第２半球状巻体の開口部に他方の第２半球状巻体の開口部を合わせて第２球状巻体を形成する第２球状巻体形成工程と、を含むことを特徴とする装飾物を収容した球状巻体の製造方法。
【請求項５】
前記一対の第１半球状巻体を貼り合わせる際に、前記装飾物から延びる吊糸を前記一対の第１半球状巻体間を通して外側に導き、この状態にて、前記一方の第１半球状巻体及び前記他方の第１半球状巻体の開口部を糊で貼り合わせ、また、前記一対の第２半球状巻体を貼り合わせる際に、前記第１球状巻体から延びる吊糸を前記一対の第２半球状巻体間を通して外側に導き、この状態にて、前記一方の第２半球状巻体及び前記他方の第２半球状巻体の開口部を糊で貼り合わせることを特徴とする請求項４に記載の装飾物を収容した球状巻体の製造方法。
【発明の詳細な説明】
【技術分野】
【０００１】
本発明は、人形などの装飾物を紐などを用いて形成された球状巻体内に収容した透視可能な球状巻体の製造方法に関する。
【背景技術】
【０００２】
人形などの装飾物を球状巻体内に収容した装飾品が実用に供され、このような装飾物を収容した球状巻体は、ゴム風船を利用して紐状部材を球状に形成し、かく形成された球状巻体内に装飾物を挿入している（例えば、特許文献１参照）。この装飾物の製造方法によれば、ゴム風船を球状に膨らませる工程と、膨らませたゴム風船の表面に糊を付着させた紐状部材を多数回巻き付ける工程と、ゴム風船の空気を抜いて風船を収縮させてゴム風船を球状巻体から剥離させる工程と、収縮させたゴム風船を球状巻体の間隙を通して取り出す工程と、予め用意した装飾物を球状巻体の間隙を通してその内部空間に挿入する工程と、挿入した装飾物に取り付けられた吊糸を球状巻体の一部に取り付ける工程と、を含んでおり、このような工程を行うことによって、球状巻体内に装飾物が収容された装飾品を製作することができる。
【０００３】
【特許文献１】特許第３２４９９４３号公報
【発明の開示】
【発明が解決しようとする課題】
【０００４】
しかしながら、上述した製造方法では、球状に膨らませた風船の表面に紐状部材を巻き付けて球状巻体を形成する故に、紐状部材を巻き付ける際に風船が変形しやすく、きれいな球状のものを製作するのが難しいという問題がある。また、形成した球状巻体の間隙を通して風船を取り出す故に、巻いた紐状部材間に形成される間隙をある程度大きくする必要があり、球状部材のデザインに制約を受けるという問題がある。更に、装飾物を巻いた紐状部材の間隙を通して挿入する故に、球状巻体の内部に収容される装飾物の大きさが制限され、大きな装飾物を挿入することができないという問題がある。
【０００５】
本発明の目的は、きれいな球状の球状巻体を形成することができるとともに、大きな装飾物でも球状巻体内に収容することができる球状巻体の製造方法を提供することである。
【課題を解決するための手段】
【０００６】
本発明の請求項１に記載の装飾物を収容した球状巻体の製造方法は、半球状の巻付け部を有する巻付け具に糊が付着した紐状部材を巻き付けて半球状巻体を形成する巻体形成工程と、前記半球状巻体を前記巻付け具の前記巻付け部から剥離させる巻体剥離工程と、一対の半球状巻体を合わせる前に一方の半球状巻体の内部空間に吊糸により吊り下げられた装飾物を入れる装飾物入れ工程と、前記装飾物を入れた前記一方の半球状巻体の開口部に他方の半球状巻体の開口部を合わせて球状巻体を形成する球状巻体形成工程と、を含むことを特徴とする。
【０００７】
また、本発明の請求項２に記載の装飾物を収容した球状巻体の製造方法では、前記一対の半球状巻体を貼り合わせる際に、前記装飾物から延びる吊糸を両者間を通して外側に導き、この状態にて前記一方の半球状巻体及び前記他方の半球状巻体の開口部を糊で貼り合わせることを特徴とする。
【０００８】
また、本発明の請求項３に記載の装飾物を収容した球状巻体の製造方法では、前記球状巻体形成工程においては、前記一方の半球状巻体の開口部に前記他方の半球状巻体の開口部を糊で貼り合わせ、着脱自在な保持具でもって前記一対の半球状巻体を貼り合わせた状態に保持することを特徴とする。
【０００９】
また、本発明の請求項４に記載の装飾物を収容した球状巻体の製造方法は、半球状の第１巻付け部を有する第１巻付け具に糊が付着した紐状部材を巻き付けて比較的小さい第１半球状巻体を形成する第１巻体形成工程と、前記第１半球状巻体を前記第1巻付け具の前記第1巻付け部から剥離させる第1巻体剥離工程と、半球状の第２巻付け部を有する第２巻付け具に糊が付着した紐状部材を巻き付けて比較的大きい第２半球状巻体を形成する第２巻体形成工程と、前記第２半球状巻体を前記第２巻付け具の前記第２巻付け部から剥離させる第２巻体剥離工程と、一対の第１半球状巻体を合わせる前に一方の第１半球状巻体の内部空間に吊糸により吊り下げられた装飾物を入れる第１装飾物入れ工程と、前記装飾物を入れた前記一方の第１半球状巻体の開口部に他方の第１半球状巻体の開口部を合わせて第１球状巻体を形成する第１球状巻体形成工程と、一対の第２半球状巻体を合わせる前に一方の第２半球状巻体の内部空間に吊糸により吊り下げられた前記装飾物及び前記第１球状巻体を入れる第２装飾物入れ工程と、前記装飾物及び前記第１球状巻体を入れた前記一方の第２半球状巻体の開口部に他方の第２半球状巻体の開口部を合わせて第２球状巻体を形成する第２球状巻体形成工程と、を含むことを特徴とする。
【００１０】
更に、本発明の請求項５に記載の装飾物を収容した球状巻体の製造方法では、前記一対の第１半球状巻体を貼り合わせる際に、前記装飾物から延びる吊糸を前記一対の第１半球状巻体間を通して外側に導き、この状態にて、前記一方の第１半球状巻体及び前記他方の第１半球状巻体の開口部を糊で貼り合わせ、また、前記一対の第２半球状巻体を貼り合わせる際に、前記第１球状巻体から延びる吊糸を前記一対の第２半球状巻体間を通して外側に導き、この状態にて、前記一方の第２半球状巻体及び前記他方の第２半球状巻体の開口部を糊で貼り合わせることを特徴とする。
【発明の効果】
【００１１】
本発明の請求項１に記載の球状巻体の製造方法によれば、半球状の巻付け部を有する巻付け具に糊が付着した紐状部材を巻き付けて半球状巻体を形成し、一対の半球状巻体を合わせて球状巻体を形成するので、きれいな球形状の巻体を形成することができる。また、一対の半球状巻体を合わせる前に一方の半球状巻体の内部空間に吊糸により吊り下げられた装飾物を入れるので、大きな装飾物を球状巻体の内部空間に収容することができ、デザイン性の優れた球状巻体を製作することができる。
【００１２】
また、本発明の請求項２に記載の球状巻体の製造方法によれば、装飾物から延びる吊糸を一対の半球状巻体の間を通して外側に導き、この状態にて両半球状巻体の開口部を糊で貼り合わせるので、吊糸は一対の半球状巻体間に貼付け固定され、吊糸を結ぶことなく球状巻体の一部に取り付けることができ、装飾品としてデザイン性を高めることができる。
【００１３】
また、本発明の請求項３に記載の球状巻体の製造方法によれば、一方の半球状巻体の開口部に他方の半球状巻体の開口部を糊で貼り合わせるときに、着脱自在な保持具でもって一対の半球状巻体を貼り合わせた状態に保持するので、一対の半球状巻体の開口部を確実に貼り合わせることができる。
【００１４】
また、本発明の請求項４に記載の球状巻体の製造方法によれば、請求項１の発明と同様にして一対の第１半球状巻体を貼り合わせて第１球状巻体を形成するとともに、一対の第２半球状巻体を貼り合わせて第２球状巻体を形成するので、きれいな球形状の第１及び第２球状巻体を形成することができる。また、第１球状巻体内に装飾物を収容し、装飾物を収容した第１球状巻体を第２球状巻体内に収容するので、装飾物は二重の球状巻体に収容され、デザイン性に非常に優れた装飾品を製作することができる。
【００１５】
更に、本発明の請求項５に記載の球状巻体の製造方法によれば、装飾物から延びる吊糸を一対の第１半球状巻体間を通して外側に導き、この状態にて一対の第１半球状巻体の開口部を糊で貼り合わせ、また、第１球状巻体から延びる吊糸を一対の第２半球状巻体間を通して外側に導き、この状態にて一対の第２半球状巻体の開口部を糊で貼り合わせるので、装飾物から延びる吊糸を結ぶことなく第１球状巻体に取り付けることができるとともに、第１球状巻体から延びる吊糸を結ぶことなく第２球状巻体に取り付けることができる。
【発明を実施するための最良の形態】
【００１６】
以下、添付図面を参照して、本発明に従う装飾物を収容した球状巻体の製造方法の一実施例について説明する。図１は、本発明に従う球状巻体の製造方法により製作した球状巻体を示す斜視図であり、図２は、巻体形成工程において用いる巻付け具を示す正面図であり、図３は、図２の巻付け具の巻付け部に紐状部材を巻き付けている状態を示す正面図であり、図４は、図２の巻付け具への紐状部材の巻付けが終了した状態を示す正面図であり、図５は、一対の第１半球状巻体を貼り合わせる前の状態を示す正面図であり、図６は、一対の第２半球状巻体を貼り合わせる前の状態を示す正面図であり、図７は、一対の第２半球状巻体を貼り合わせた後の状態を示す正面図である。
【００１７】
図１において、本発明に従う製造方法によって製作される装飾品２、即ち装飾物４を収容した球状巻体６は、装飾物２を収容する第１球状巻体８と、この第１球状巻体８を収容する第２球状巻体１０とを備え、外径が比較的小さい内側の第１球状巻体８と外径が比較的大きい外側の第２球状巻体１０とからなる二重構造に構成されている。第１及び第２球状巻体８，１０は、紙紐、織紐、絹紐などの紐状部材を後述するように巻くことによって形成され、隣接する紐状部材間には間隙が存在し、これら間隙を通して内部が可視できるように構成され、第２球状巻体１０の間隙を通して内部に収容された第１球状巻体８を見ることができ、また第１球状巻体８の間隙を通して内部に収容された装飾物４を見ることができる。
【００１８】
この実施例では、装飾物２は人形１２から構成され、この人形１２には吊糸１４が取り付けられている。装飾物４は人形１２に限定されず、鞠などでもよく、適宜の形状に折った折り紙、適宜の形状に彫った木材などでもよい。人形１２を吊り下げるための吊糸１４は、例えばループ状に形成され、第１球状巻体８及び第２球状巻体１０通してこれらに取り付けられ、その先端側は第２球状巻体１０の外側に延びている。この装飾品２は、例えば、図１に示す支持体１６に吊り下げられる。支持体１６は、リング状の台部１８と、台部１８から上方に延びる支持アーム部２０と、支持アーム部２０の先端部に設けられた略Ｕ字状の吊下げ部２２とを有し、吊糸１４の先端部が支持体１６の吊下げ部２２に吊り下げられる。
【００１９】
このような装飾品２は、図２〜図７に示すようにして製作される。この装飾品２の第１及び第２球状巻体８，１０を製作するためには、図２に示すような巻付け具２４が用いられる。図２において、この巻付け具２４は、例えば作業台（図示せず）に取り付けられる基台２６を備え、この基台２６には支持脚２８が固定され、支持脚２８の先端部に巻付け部３０が設けられている。この巻付け部３０は略半球状であり、半球状部分の部位に破線で示された目印ライン３２が施されている。この目印ライン３２は、実線で施すようにしてもよく、作業時に目立つように赤色などの色ラインで施すようにしてもよい。
【００２０】
第１及び第２球状巻体８，１０は、第１及び第２半球状巻体３４，３６の開口部を後述するように貼り合わせて形成され、このように貼り合わせる第１及び第２半球状巻体３４，３６が図２に示すような巻付け具２４を用いて形成される。内側の第１球状巻体８は外径が５〜１０ｃｍ程度の大きさに形成され、従って、第１半球状巻体３４を形成する巻付け具２４の巻付け部３０の外径は、第１球状巻体３４の外径に対応して５〜１０ｃｍ程度の大きさに形成される。また、外側の第２球状巻体１０は、内側の第１球状巻体８よりも大きく、その外径が１０〜１５ｃｍ程度の大きさに形成され、従って、第２半球状巻体３６を形成する巻付け具２４の巻付け部３０の外径は、第２球状巻体３６の外径に対応して１０〜１５ｃｍ程度の大きさに形成される。
【００２１】
第１及び第２半球状巻体３４，３６は同様にして形成されるので、以下、第１半球状巻体３４の製作方法について説明する。第１半球状巻体３４を形成するには、図３に示すように、巻付け具２４の巻付け部３０の表面に糊の付いた糸状部材３８、例えば糸紐を不規則に巻き付ければよい（第１巻体形成工程）。糸状部材３８の巻付けは、図４に示すように、形成された第１半球状巻体３４がきれいな半球状となるように、巻付け部３０の目印ライン３２より上側部位に巻き付けるように行うのが好ましく、後に貼り合わせるので、糸状部材３８によってきれいな円形状の開口部４０となるように行うのが好ましい。第２半球状巻体３６を形成するには、第１半球状巻体３４を形成するときと同様に、巻付け具２４の巻付け部３０の表面に糊の付いた糸状部材３８を不規則に巻き付ければよい（第２巻体形成工程）。尚、図示の例では、巻付け具２４の巻付け部３０は半球状より幾分大きく形成されているが、実質上半球状の大きさに形成するようにしてもよい。
【００２２】
巻付け具２４に巻き付けた糸状部材３８の糊が乾燥した後に、その巻付け部３０から第１半球状巻体２４を剥離させる。糸状部材３８は巻付け具２４の表面に半球状に巻き付けられるので、上方に持ち上げることによって、第１半球状巻体３４を巻付け具２４から容易に剥がすことができる（第１巻体剥離工程）。同様に、糸状部材３８の糊が乾いた後に、上方に持ち上げることによって、第２半球状巻体３６を巻付け具２４から剥がす（第２巻体剥離工程）。このようにして第１及び第２半球状巻体３４，３６を所要の通りに形成する。
【００２３】
次いで、一対の第１半球状巻体３４と、予め製作した装飾物４、例えば人形１２とを準備し、一方の第１半球状巻体３４の内部空間内に人形１２を入れる（第１装飾物入れ工程）。例えば、図５に示すように、一方の第１半球状巻体３４（図５及び図６において「３４ａ」で示す）の開口部４０を上側にしてこの開口を通して人形１２を内部空間に入れ、人形１２から延びる吊糸１４を第１半球状巻体３４の開口部４０から外に導き出す。
【００２４】
そして、図５に示すように、他方の第１半球状巻体３４（図５及び図６において「３４ｂ」で示す）の開口部４０を一方の第１半球状巻体３４の開口部４０に対向させ、一対の半球状巻体３４の開口部４０を貼り合わせる（第１球状巻体形成工程）。この貼り合わせの際には、一方の第１半球状巻体３４の開口部４０及び／又は他方の第１半球状巻体３４の開口部４０に糊を付着し、双方の第１半球状巻体３４の開口部４０を合わせ、この貼り合わせ状態を糊が乾くまで保持すればよい。貼り合わせ状態の保持は、例えば、クリップの如き保持具（図示せず）を一対の第１半球状巻体３４の開口部４０に着脱自在に装着するようにするのが好ましい。かくすると、図５に示すように、一対の第１半球状巻体３４から構成される第１球状巻体８の内部空間に人形１２が収容され、この人形１２を吊すための吊糸１４の中間部は一対の第１半球状巻体３４間に挟持して固定され、吊糸１４を第１球状巻体８の一部に結ぶことなく取り付けられる。尚、この吊糸１４は、一対の第１半球状巻体３４間に挟持することに代えて、第１球状巻体８の一部に結びつけるようにしてもよい。
【００２５】
その後、一対の第２半球状巻体３６を準備し、一方の第２半球状巻体３６の内部空間内に、人形１２を収容する第１球状巻体８を入れる（第２装飾物入れ工程）。例えば、図６に示すように、一方の第２半球状巻体３６（図６及び図７において「３６ａ」で示す）の開口部４２を上側にしてこの開口を通して、人形１２を収容する第１球状巻体８をその内部空間に入れ、人形１２から第１球状巻体８を通して延びる吊糸１４を第２半球状巻体３６の開口部４２から外に導き出す。
【００２６】
そして、図６に示すように、他方の第２半球状巻体３６（図６及び図７において「３６ｂ」で示す）の開口部４２を一方の第２半球状巻体３６の開口部４２に対向させ、一対の第２半球状巻体３６の開口部４２を貼り合わせる（第２球状巻体形成工程）。この貼り合わせの際には、第１半球状巻体３４の貼り合わせと同様に、一方の第２半球状巻体３６の開口部４２及び／又は他方の第２半球状巻体３６の開口部４２に糊を付着し、双方の第２半球状巻体３６の開口部４２を合わせ、必要に応じて着脱自在な保持具を用いて糊が乾くまで貼り合わせ状態を保持する。
【００２７】
このように貼り合わせると、図７に示すように、一対の第２半球状巻体３６から構成される第２球状巻体１０の内部空間に、人形１２を収容する第１球状巻体８が収容され、人形１２から第１球状巻体８を通して延びる吊糸１４の中間部は、一対の第２半球状巻体３６間に挟持して固定され、吊糸１４を第２球状巻体１０の一部に結ぶことなく取り付けられる。尚、この吊糸１４は、一対の第２半球状巻体３６間に挟持することに代えて、第２球状巻体１０の一部に結びつけるようにしてもよい。
【００２８】
このようにして、図１に示す通りの装飾品２、即ち装飾物４を収容した球状巻体６を所要の通りに製作することができる。このように製作した装飾品２においては、第１及び第２球状巻体８，１０を構成する糸状部材３８間に間隙が存在するので、かかる間隙を通して内部を可視することができ、特に球状巻体６が二重構造になっているので装飾性が高く、高いデザイン性を有している。
【００２９】
以上、本発明に従う球状巻体の製造方法の一実施例について説明したが、本発明はかかる実施形態に限定されるものではなく、本発明の範囲を逸脱することなく種々の変形乃至修正が可能である。
【００３０】
例えば、上述した実施形態では、球状巻体６が第１及び第２球状巻体８，１０から構成される二重構造となっているが、このような構成に限定されず、球状巻体６を第１球状巻体８又は第２球状巻体１０のいずれか一方から構成するようにしてもよい。
【図面の簡単な説明】
【００３１】
【図１】本発明に従う球状巻体の製造方法により製作した球状巻体を示す斜視図。
【図２】巻体形成工程において用いる巻付け具を示す正面図。
【図３】図２の巻付け具の巻付け部に紐状部材を巻き付けている状態を示す正面図。
【図４】図２の巻付け具への紐状部材の巻付けが終了した状態を示す正面図。
【図５】一対の第１半球状巻体を貼り合わせる前の状態を示す正面図。
【図６】一対の第２半球状巻体を貼り合わせる前の状態を示す正面図。
【図７】一対の第２半球状巻体を貼り合わせた後の状態を示す正面図。
【符号の説明】
【００３２】
２  装飾品
４  装飾物
６  球状巻体
８  第１球状巻体
１０  第２球状巻体
１２  人形
１４  吊糸
２４  巻付け具
３０  巻付け部
３４，３４ａ，３４ｂ  第１半球状巻体
３６，３６ａ，３６ｂ  第２半球状巻体
３８  紐状部材
【図１】
2008080511.tif 000003
【図２】
2008080511.tif 000004
【図３】
2008080511.tif 000005
【図４】
2008080511.tif 000006
【図５】
2008080511.tif 000007
【図６】
2008080511.tif 000008
【図７】
2008080511.tif 000009
【手続補正書】
【提出日】平成19年7月9日(2007.7.9)
【手続補正１】
【補正対象書類名】特許請求の範囲
【補正対象項目名】全文
【補正方法】変更
【補正の内容】
【特許請求の範囲】
【請求項１】
半球状の第１巻付け部を有する第１巻付け具に糊が付着した紐状部材を巻き付けて比較的小さい第１半球状巻体を形成する第１巻体形成工程と、前記第１半球状巻体を前記第1巻付け具の前記第1巻付け部から剥離させる第1巻体剥離工程と、半球状の第２巻付け部を有する第２巻付け具に糊が付着した紐状部材を巻き付けて比較的大きい第２半球状巻体を形成する第２巻体形成工程と、前記第２半球状巻体を前記第２巻付け具の前記第２巻付け部から剥離させる第２巻体剥離工程と、一対の第１半球状巻体を合わせる前に一方の第１半球状巻体の内部空間に吊糸により吊り下げられた装飾物を入れる第１装飾物入れ工程と、前記装飾物を入れた前記一方の第１半球状巻体の開口部に他方の第１半球状巻体の開口部を合わせて第１球状巻体を形成する第１球状巻体形成工程と、一対の第２半球状巻体を合わせる前に一方の第２半球状巻体の内部空間に吊糸により吊り下げられた前記装飾物及び前記第１球状巻体を入れる第２装飾物入れ工程と、前記装飾物及び前記第１球状巻体を入れた前記一方の第２半球状巻体の開口部に他方の第２半球状巻体の開口部を合わせて第２球状巻体を形成する第２球状巻体形成工程と、を含むことを特徴とする装飾物を収容した球状巻体の製造方法。
【請求項２】
前記一対の第１半球状巻体を貼り合わせる際に、前記装飾物から延びる吊糸を前記一対の第１半球状巻体間を通して外側に導き、この状態にて、前記一方の第１半球状巻体及び前記他方の第１半球状巻体の開口部を糊で貼り合わせ、また、前記一対の第２半球状巻体を貼り合わせる際に、前記第１球状巻体から延びる吊糸を前記一対の第２半球状巻体間を通して外側に導き、この状態にて、前記一方の第２半球状巻体及び前記他方の第２半球状巻体の開口部を糊で貼り合わせることを特徴とする請求項１に記載の装飾物を収容した球状巻体の製造方法。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
本発明の請求項１に記載の装飾物を収容した球状巻体の製造方法は、半球状の第１巻付け部を有する第１巻付け具に糊が付着した紐状部材を巻き付けて比較的小さい第１半球状巻体を形成する第１巻体形成工程と、前記第１半球状巻体を前記第1巻付け具の前記第1巻付け部から剥離させる第1巻体剥離工程と、半球状の第２巻付け部を有する第２巻付け具に糊が付着した紐状部材を巻き付けて比較的大きい第２半球状巻体を形成する第２巻体形成工程と、前記第２半球状巻体を前記第２巻付け具の前記第２巻付け部から剥離させる第２巻体剥離工程と、一対の第１半球状巻体を合わせる前に一方の第１半球状巻体の内部空間に吊糸により吊り下げられた装飾物を入れる第１装飾物入れ工程と、前記装飾物を入れた前記一方の第１半球状巻体の開口部に他方の第１半球状巻体の開口部を合わせて第１球状巻体を形成する第１球状巻体形成工程と、一対の第２半球状巻体を合わせる前に一方の第２半球状巻体の内部空間に吊糸により吊り下げられた前記装飾物及び前記第１球状巻体を入れる第２装飾物入れ工程と、前記装飾物及び前記第１球状巻体を入れた前記一方の第２半球状巻体の開口部に他方の第２半球状巻体の開口部を合わせて第２球状巻体を形成する第２球状巻体形成工程と、を含むことを特徴とする。
【手続補正６】
【補正対象書類名】明細書
【補正対象項目名】００１０
【補正方法】変更
【補正の内容】
【００１０】
また、本発明の請求項２に記載の装飾物を収容した球状巻体の製造方法では、前記一対の第１半球状巻体を貼り合わせる際に、前記装飾物から延びる吊糸を前記一対の第１半球状巻体間を通して外側に導き、この状態にて、前記一方の第１半球状巻体及び前記他方の第１半球状巻体の開口部を糊で貼り合わせ、また、前記一対の第２半球状巻体を貼り合わせる際に、前記第１球状巻体から延びる吊糸を前記一対の第２半球状巻体間を通して外側に導き、この状態にて、前記一方の第２半球状巻体及び前記他方の第２半球状巻体の開口部を糊で貼り合わせることを特徴とする。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
本発明の請求項１に記載の球状巻体の製造方法によれば、一対の第１半球状巻体を貼り合わせて第１球状巻体を形成するとともに、一対の第２半球状巻体を貼り合わせて第２球状巻体を形成するので、きれいな球形状の第１及び第２球状巻体を形成することができる。また、第１球状巻体内に装飾物を収容し、装飾物を収容した第１球状巻体を第２球状巻体内に収容するので、装飾物は二重の球状巻体に収容され、デザイン性に非常に優れた装飾品を製作することができる。
【手続補正１１】
【補正対象書類名】明細書
【補正対象項目名】００１４
【補正方法】変更
【補正の内容】
【００１４】
また、本発明の請求項２に記載の球状巻体の製造方法によれば、装飾物から延びる吊糸を一対の第１半球状巻体間を通して外側に導き、この状態にて一対の第１半球状巻体の開口部を糊で貼り合わせ、また、第１球状巻体から延びる吊糸を一対の第２半球状巻体間を通して外側に導き、この状態にて一対の第２半球状巻体の開口部を糊で貼り合わせるので、装飾物から延びる吊糸を結ぶことなく第１球状巻体に取り付けることができるとともに、第１球状巻体から延びる吊糸を結ぶことなく第２球状巻体に取り付けることができる。
【手続補正書】
【提出日】平成19年7月19日(2007.7.19)
【手続補正１】
【補正対象書類名】手続補正書
【補正対象項目名】手続補正１１
【補正方法】変更
【補正の内容】
【手続補正１１】
【補正対象書類名】明細書
【補正対象項目名】００１５
【補正方法】変更
【補正の内容】
【００１５】
また、本発明の請求項２に記載の球状巻体の製造方法によれば、装飾物から延びる吊糸を一対の第１半球状巻体間を通して外側に導き、この状態にて一対の第１半球状巻体の開口部を糊で貼り合わせ、また、第１球状巻体から延びる吊糸を一対の第２半球状巻体間を通して外側に導き、この状態にて一対の第２半球状巻体の開口部を糊で貼り合わせるので、装飾物から延びる吊糸を結ぶことなく第１球状巻体に取り付けることができるとともに、第１球状巻体から延びる吊糸を結ぶことなく第２球状巻体に取り付けることができる。